(57)【要約】本発明では、バイオマスを含む原料から生成されたスラリー体を超臨界水でガス化処理するガス化反応器１４１と、ガス化反応器１４１で超臨界水によりガス化処理される前にスラリー体を予熱する熱交換器１３０とを備え、超臨界水ガス化系統圧力以上の圧力の蒸気を排出する超臨界圧ボイラ１４０（１８０）を設け、熱交換器１３０は、超臨界圧ボイラ１４０（１８０）から排出される蒸気を利用してスラリー体を予熱する。これにより、熱交換器１３０にて含水性バイオマスを含むスラリー体を、超臨界水ガス化系統圧力以上の高圧の蒸気を利用して予熱することで熱交換器１３０をコンパクト化し、タールやチャーの生成を抑制して、熱交換器１３０の配管が閉塞されることを回避でき、含水性バイオマスからメタンや水素などの燃料ガスをより効率的に生成することができる。
2016135979.tif 000002
【特許請求の範囲】
【請求項１】
バイオマスを含む原料から生成されたスラリー体を超臨界水でガス化処理するガス化反応器と、前記ガス化反応器で超臨界水によりガス化処理される前に前記スラリー体を予熱する熱交換器と、を備える超臨界水ガス化システムであって、
超臨界水ガス化系統圧力以上の圧力の蒸気を排出する加熱部を設け、
前記熱交換器は、前記加熱部から排出される前記蒸気を利用して前記スラリー体を予熱することを特徴とする超臨界水ガス化システム。
【請求項２】
前記熱交換器は複数設けられ、当該複数の熱交換器のうちの少なくとも一つの熱交換器では、前記スラリー体を予熱した後の前記蒸気を利用して、前記ガス化反応器によって生成される生成物を冷却することを特徴とする請求項１に記載の超臨界水ガス化システム。
【請求項３】
前記加熱部は、前記蒸気を排出する超臨界圧ボイラを備えており、
前記超臨界圧ボイラの燃焼を利用して前記ガス化反応器を加熱することを特徴とする請求項１または２に記載の超臨界水ガス化システム。
【請求項４】
前記加熱部は、前記蒸気を排出する超臨界圧ボイラを備えており、
前記超臨界圧ボイラから排出される前記蒸気の熱を利用して前記ガス化反応器を加熱することを特徴とする請求項１または２に記載の超臨界水ガス化システム。
【請求項５】
前記加熱部は、
前記蒸気を排出する超臨界圧ボイラと、
前記ガス化反応器を加熱する反応器用ボイラと、
を備えていることを特徴とする請求項１または２に記載の超臨界水ガス化システム。
【請求項６】
前記超臨界圧ボイラは、
前記ガス化処理によって生成された生成物から抽出される生成ガスを燃料として使用することを特徴とする請求項３〜５のいずれか一項に記載の超臨界水ガス化システム。
【請求項７】
バイオマスを含む原料から生成されたスラリー体を超臨界水でガス化処理する工程と、前記ガス化反応器で超臨界水によりガス化処理される前に前記スラリー体を熱交換器にて予熱する工程と、を備える超臨界水ガス化方法であって、
前記熱交換器は、超臨界水ガス化系統圧力以上の圧力の蒸気を排出する加熱部から排出される前記蒸気を利用して前記スラリー体を予熱することを特徴とする超臨界水ガス化方法。
【請求項８】
請求項２〜５のいずれか一項に記載の超臨界水ガス化システムを用いた超臨界水ガス化方法であって、
前記超臨界圧ボイラは、
前記ガス化処理によって生成された生成物から抽出される生成ガスを燃料として使用することを特徴とする請求項７に記載の臨界水ガス化方法。
【発明の詳細な説明】
【技術分野】
【０００１】
本発明は、バイオマスに水および触媒を添加して調整されたスラリー体を、超臨界状態で分解処理して燃料ガスを生成する超臨界水ガス化システムおよびガス化方法に関する。
【背景技術】
【０００２】
近年、含水性バイオマス（焼酎残渣、採卵鶏糞等）を超臨界水でガス化する技術において、バイオマスを超臨界水でガス化することによって得られた生成物の熱を利用して、超臨界水でガス化される含水性バイオマス又は該バイオマスのスラリー体を加熱する二重管式熱交換器を備えた超臨界水ガス化システムが開発されている（例えば、特許文献１および２参照）。【０００３】
ここで、一般的なバイオマスによるガス化システムは、熱交換器・加熱器およびガス化反応器等を含んで構成され、加水分解によって有機物を水素・メタン・エタン・一酸化炭素・二酸化炭素等にガス化する。例えば、熱交換器は、スラリー状のスラリー体を加熱する装置である。このスラリー体は、焼酎残渣・採卵鶏糞・汚泥等のバイオマスに、水および活性炭（触媒）を加えて混合することで調整される。加熱器は、熱交換機で加熱されたスラリー体をガス化反応温度である６００℃まで昇温する装置である。ガス化反応器は、このスラリー体を水熱処理して有機物をガス化し、超臨界状態の高温流体にする装置である。超臨界状態となった流体は、その後気液分離され、気体分が燃料ガスとして利用される。
【先行技術文献】
【特許文献】
【０００４】
【特許文献１】特開２００７−２７１１４６号公報
【特許文献２】特開２００９−２４２６９７号公報
【発明の概要】
【発明が解決しようとする課題】
【０００５】
しかしながら、上述のような超臨界水ガス化システムにおいては、ガス化の際に触媒として使用される非金属触媒（例えば、活性炭）の微細粉末やガス化の際に生成されるタール・チャーなどによって二重管式熱交換器の二重管における外管と内管との間に閉塞が生じる場合がある。【０００６】
具体的に、例えば、ガス化反応後の処理後流体は、全長約１００ｍの二重管式熱交換器において、スラリー体と熱交換することにより、約６００℃から約１２０℃へ水温が下がる。その後、さらに冷却して気水分離することでガスと排水に分離される。そして、ガスは燃料として使用し、余剰ガスはタンクへ蓄圧して別途使用する。【０００７】
このとき、かかる二重管式熱交換器では、処理後流体の熱を原料の加熱に利用している。ところが、二重管式熱交換器の中間部分では、水物性の関係から温度差が小さくなるため熱交換が非効率になる。これは、原料圧力が処理後流体圧力より高圧となるため、原料擬臨界点温度が処理後流体擬臨界点温度より高くなるが、水は擬臨界点において定圧比熱が最大となるため、熱交換器内の大きな範囲において処理後流体と原料の温度差が小さくなり、熱交換が進まないことが原因である。【０００８】
また、熱交換器は、高温高圧に耐え得るために、高価な材料の厚肉配管を用いて、法的規制をクリヤした技士が溶接を行うことから高価である。従って、極力小型の熱交換器を用いて、効率よく温度上昇させたい要望がある。例えば、全長の長い熱交換器の場合、温度上昇に時間が掛かる。そして、中温部・高温部でタールやチャーが生成されるため、ここでの反応時間が長くなるとタールの生成量が増大し、ひいては熱交換器出口で配管が閉塞するリスクを上昇させる原因となってしまう問題があった。【０００９】
そこで、本発明者等は、上述したスラリー体が熱交換器において目詰まりを起こすことに起因した流路の閉塞を防止すること、およびガス化効率の向上の観点から、このスラリー体を、超臨界水ガス化系統圧力以上の高圧の蒸気を利用して予熱することに着目した。【００１０】
本発明は、上記課題に鑑みてなされたものであり、熱交換器にて含水性バイオマスを含むスラリー体を、超臨界水ガス化系統圧力以上の高圧の蒸気を利用して予熱することで熱交換器をコンパクト化し、タールやチャーの生成を抑制して、熱交換器の配管が閉塞されることを回避でき、含水性バイオマスからメタンや水素などの燃料ガスをより効率的に生成することができる超臨界水ガス化システムおよびガス化方法を提供することを目的とする。
【課題を解決するための手段】
【００１１】
上記課題を解決するために、本発明に係る超臨界水ガス化システムは、
バイオマスを含む原料から生成されたスラリー体を超臨界水でガス化処理するガス化反応器と、前記ガス化反応器で超臨界水によりガス化処理される前に前記スラリー体を予熱する熱交換器と、を備える超臨界水ガス化システムであって、
超臨界水ガス化系統圧力以上の圧力の蒸気を排出する加熱部を設け、
前記熱交換器は、前記加熱部から排出される前記蒸気を利用して前記スラリー体を予熱することを特徴とする。【００１２】
また、本発明に係る超臨界水ガス化システムは、
前記熱交換器が複数設けられ、当該複数の熱交換器のうちの少なくとも一つの熱交換器では、前記スラリー体を予熱した後の前記蒸気を利用して、前記ガス化反応器によって生成される生成物を冷却することとしてもよい。【００１３】
前記加熱部は、前記蒸気を排出する超臨界圧ボイラを備えており、
前記超臨界圧ボイラの燃焼を利用して前記ガス化反応器を加熱することとしてもよい。【００１４】
前記加熱部は、前記蒸気を排出する超臨界圧ボイラを備えており、
前記超臨界圧ボイラから排出される前記蒸気の熱を利用して前記ガス化反応器を加熱することとしてもよい。【００１５】
前記加熱部は、
前記蒸気を排出する超臨界圧ボイラと、
前記ガス化反応器を加熱する反応器用ボイラと、
を備えていることとしてもよい。【００１６】
前記超臨界圧ボイラは、
前記ガス化処理によって生成された生成物から抽出される生成ガスを燃料として使用することとしてもよい。【００１７】
また、本発明に係る超臨界水ガス化方法は、
バイオマスを含む原料から生成されたスラリー体を超臨界水でガス化処理する工程と、前記ガス化反応器で超臨界水によりガス化処理される前に前記スラリー体を熱交換器にて予熱する工程と、を備える超臨界水ガス化方法であって、
前記熱交換器は、超臨界水ガス化系統圧力以上の圧力の蒸気を排出する加熱部から排出される前記蒸気を利用して前記スラリー体を予熱することを特徴とする。【００１８】
このとき、前記加熱部は、前記蒸気を排出する超臨界圧ボイラを備えており、前記超臨界圧ボイラの燃焼を利用して前記ガス化反応器を加熱することとしてもよい。また、前記加熱部は、前記蒸気を排出する超臨界圧ボイラを備えており、前記超臨界圧ボイラから排出される前記蒸気の熱を利用して前記ガス化反応器を加熱することとしてもよい。さらに、前記加熱部は、前記蒸気を排出する超臨界圧ボイラと、前記ガス化反応器を加熱する反応器用ボイラと、を備えていることとしてもよい。【００１９】
なお、熱交換器での予熱処理は、反応器での水熱処理を考慮して、６００℃の温度、および２５ＭＰａの圧力の条件下で行うことが好ましい。
【発明の効果】
【００２０】
本発明によれば、熱交換器にて含水性バイオマスを含むスラリー体を、超臨界水ガス化系統圧力以上の高圧の蒸気を利用して予熱することで熱交換器をコンパクト化し、タールやチャーの生成を抑制して、熱交換器の配管が閉塞されることを回避でき、含水性バイオマスからメタンや水素などの燃料ガスをより効率的に生成することができる超臨界水ガス化システムおよびガス化方法を提供することができる。
【図面の簡単な説明】
【００２１】
【図１】本発明の一実施形態として説明する超臨界水ガス化システムの概略構成を示す図である。
【図２】本発明の他の実施形態として説明する超臨界水ガス化システムの概略構成を示す図である。
【図３】本発明の他の実施形態として説明する超臨界水ガス化システムの概略構成を示す図である。
【発明を実施するための形態】
【００２２】
以下、本発明の好ましい実施形態を、図面を参照して詳細に説明する。なお、本発明の目的、特徴、利点、及びそのアイデアは、本明細書の記載により、当業者には明らかであり、本明細書の記載から、当業者であれば、容易に本発明を再現できる。以下に記載された発明の実施の形態及び図面等は、本発明の好ましい実施態様を示すものであり、例示又は説明のために示されているのであって、本発明をそれらに限定するものではない。本明細書で開示されている本発明の意図ならびに範囲内で、本明細書の記載に基づき、様々に修飾ができることは、当業者にとって明らかである。
【００２３】
＝＝本発明に係る超臨界水ガス化システムの全体構成＝＝
図１は、本発明の一実施形態として説明する超臨界水ガス化システムの概略構成を示す図である。図１に示すように、本発明に係る超臨界水ガス化システム（以下、適宜、単に「システム」と称する場合がある。）は、調整タンク１００、破砕機１１０、供給ポンプ１２０、第一熱交換器１３０、第二熱交換器１３１、第三熱交換器１３２、超臨界圧ボイラ１４０、ガス化反応器１４１、過熱器１４２、ボイラ水冷壁１４３、給水ポンプ１５０、蒸気タービン１６０、復水器１６１、気液分離器１７０、ガスタンク１７１、触媒回収器１７２などを備えており、供給ポンプ１２０と第一熱交換器１３０の間、第一熱交換器１３０とガス化反応器１４１の間、ガス化反応器１４１と第二熱交換器１３１の間、および、第二熱交換器１３１と第三熱交換器１３２の間は、それぞれ配管によって接続されている。
【００２４】
なお、本実施形態の場合、ガス化反応器１４１は、含水性バイオマスに水や非金属系触媒を加えて混合し調整したスラリー体を超臨界水でガス化処理するものであり、少なくとも第一熱交換器（すなわち、ガス化反応器１４１で超臨界水によりガス化処理される前にスラリー体を予熱する熱交換器としての第一熱交換器１３０）は、二重管式熱交換器で構成されている場合について述べるが、本発明はこれに限ることはない。
【００２５】
調整タンク１００は、含水性バイオマス（バイオマスのスラリー体であってもよい。以下、同じ。）、非金属系触媒、水などを混合するタンクである。本システムにおいて処理されるスラリー体は、調整タンク１００に投入された含水性バイオマスおよび非金属系触媒、並びに必要に応じて投入された水を混合して、含水性バイオマスに非金属系触媒を懸濁することにより調製される。なお、水の投入は、バイオマスの含水率に応じて適宜行われる。上記含水性バイオマスは、例えば、焼酎残渣、採卵鶏糞、汚泥などである。また、上記非金属系触媒としては、例えば、活性炭、ゼオライト、これらの混合物などを用いることができるが、平均粒径２００μｍ以下の粉末を用いることが好ましく、平均粒径２００μｍ以下の多孔質の粒子を用いることがより好ましい。
【００２６】
破砕機１１０は、調整タンク１００で調製したスラリー体中のバイオマスを破砕して、バイオマスをあらかじめ均一な大きさ（好ましくは平均粒径が５００μｍ以下、より好ましくは平均粒径が３００μｍ以下）にするための装置である。なお、スラリー体としてバイオマスのスラリー体を混合させる場合には、本システムに破砕機１１０を設けなくてもよい。
【００２７】
加熱部としての超臨界圧ボイラ１４０は、後述するガス化反応器１４１を含んで構成され、自身の燃焼を熱源としてガス化反応器１４１を加熱すると共に、供給ポンプ１５０から供給される水を加熱することによって発生する、超臨界水ガス化系統圧力以上の高圧の蒸気を後述する第一熱交換器１３０へと供給する。
【００２８】
ガス化反応器１４１は、調整タンク１００で調製したスラリー体または破砕機１１０でバイオマスを破砕したスラリー体に懸濁させた非金属系触媒を触媒として、スラリー体中のバイオマスを超臨界水でガス化する装置である。バイオマスの超臨界水によるガス化は、前述の非金属系触媒を利用して、３７４℃以上の温度、及び２２．１ＭＰａ以上の圧力の条件下で行うことができるが、タールやチャーの発生を抑制するとともに炭素ガス化率を高めることができる温度及び圧力下（６００℃以上、２５〜３５ＭＰａの範囲内）で行うことが好ましい。このようにバイオマスを超臨界水で処理することにより、バイオマスを分解し、水素ガス、メタン、エタン、エチレン等の燃料ガスを生成することができる。
【００２９】
また、ガス化反応器１４１は、その内部温度、外部温度または加温温度を測定する温度測定装置と、ガス化反応器１４１の内部温度、加熱温度または加圧圧力を測定するための圧力測定装置と（共に図示せず）、を備えることが好ましい。
【００３０】
なお、本実施形態においては、ガス化反応器１４１がコイル状の配管を燃焼ガスで加温する場合について説明する。かかる管状反応器を用いた場合、前後の配管（すなわち、第一熱交換器１３０と連結する配管、および、第二熱交換器１３１と連結する配管）に比べて、太さを太くすることで、反応時間を一定時間確保できるようにすることができる利点がある。なお、ガス化反応器としては、これに限定されるものではなく、前述の条件下でバイオマスを含むスラリー体を水熱処理することができる装置であれば特に制限されるものではない。ガス化反応器としては、この他、流動層反応器等がある。
【００３１】
二重管式熱交換器として構成される第一熱交換器１３０は、超臨界圧ボイラ１４０から供給される超臨界水ガス化系統圧力以上の高圧の蒸気（この場合、６００℃の温度、および２５ＭＰａの圧力の条件下からなる蒸気）の熱を利用して、ガス化反応器１４１で超臨界水によりガス化処理される含水性バイオマスに非金属系触媒を懸濁したスラリー体を所定の温度（この場合、６００℃）まで予め加熱（予熱）する装置である。
【００３２】
ここで、従来の二重管式熱交換器では、その中間部分において、水物性の関係から温度差が小さくなる（すなわち、原料圧力が処理後流体の圧力より高圧となるため、原料擬臨界点温度が処理後流体の擬臨界点温度より高くなるが、水は擬臨界点において定圧比熱が最大となるため、熱交換器内の大きな範囲において処理後流体と原料の温度差が小さくなる）ため、単位伝熱面積当たりの交換熱量が小さくなり、熱交換が非効率になる場合があった。
【００３３】
また、従来の二重管式熱交換器では、熱交換効率を上げるべく全長が長く形成されていたことから温度上昇に時間が掛かり、中温部・高温部でタールやチャーが生成され、更にはここでの反応時間が長くなることに起因してタールの生成量が増大し、ひいては熱交換器内やその出口で配管が閉塞する場合があった。
【００３４】
そこで、本システムでは、第一熱交換器１３０において、超臨界圧ボイラ１４０から供給される超臨界水ガス化系統圧力以上の高圧の蒸気（この場合、６００℃の温度、および２５ＭＰａの圧力の条件下からなる蒸気）を利用して、上記スラリー体を予熱するようにした。すなわち、第一熱交換器１３０は、ガス化反応器１４１に供給されるスラリー体を、当該ガス化反応器１４１で超臨界水によりガス化処理される前に６００℃まで予熱する。
【００３５】
具体的には、図示省略するが、第一熱交換器１３０における二重管は既存の二重管式熱交換器と同様に、外管と内管とから構成されており、前記スラリー体が内管内の流路を流れ、前記蒸気が外管と内管との間の流路を流れる。すなわち、内管内の流路に上記スラリー体が流れてガス化反応器１４１に供給され、外管と内管との間の流路に対して、スラリー体が流れる方向とは逆方向に、上記蒸気が流れて第二熱交換器１３１に供給されるように、第一熱交換器１３０が本システムに設けられている。
【００３６】
このように、第一熱交換器１３０において、超臨界圧ボイラ１４０から供給される超臨界水ガス化系統圧力以上の高圧の蒸気を利用して、上記スラリー体を予熱することにより、第一熱交換器１３０を従来に比して大幅にコンパクト化することができる。また、タールやチャーの生成を抑制して、第一熱交換器１３０の配管が閉塞されることを回避でき、含水性バイオマスからメタンや水素などの燃料ガスをより効率的に生成することができるようになっている。
【００３７】
冷却器として機能する第二熱交換器１３１は、第一熱交換器１３０を介してガス化反応器１４１から供給される排出物を冷却するための装置である。この第二熱交換器１３１では、上記排出物を６００℃の温度の条件下から、１５０℃〜２００℃の温度の条件下にまで冷却する。また、同様に冷却器として機能する第三熱交換器１３２は、第二熱交換器１３１から供給される排出物を冷却するための装置である。この第三熱交換器１３２では、上記排出物を１５０℃〜２００℃の温度の条件下から、ほぼ常温の条件下にまで冷却する。
【００３８】
減圧装置１３３は、第三熱交換器１３２と気液分離器１７０との間に配設され、ガス化反応器１４１から第二熱交換器１３１および第三熱交換器１３２を介して排出される排出物を２５ＭＰａ程度の圧力から、ほぼ大気圧の条件下にまで減圧する。本システムでは、ガス化反応器１４１から排出される排出物には、可燃性の高い燃料ガス（例えば、水素、メタン、エタン、エチレンなど）や水蒸気（超臨界水）等の生成ガスが含まれているので、冷却し減圧する事で、危険性を低減させたり、水蒸気を水に変換させたりする役目を果たすようになっている。
【００３９】
なお、本実施形態においては、ガス化反応器１４１から排出された排出物を冷却する装置として第二熱交換器１３１や第三熱交換器１３２を例に挙げて説明したが、ガス化反応器１４１から排出された排出物を冷却することができる装置であればどのような装置を用いてもよい。かかる冷却器としては、第二熱交換器１３１や第三熱交換器１３２に限ることはなく、この他、例えば、クーラーなどであってもよい。また、減圧器としても同様に、減圧装置１３３に限ることはない。
【００４０】
また、前述の熱交換器も向流式に限ることは無く、例えば、並流式でも良い。さらに、二重管式熱交換器に限ることは無く、例えば、スパイラル式やプレート式の熱交換器でも良い。
【００４１】
以上のように、本システムに第一〜第三熱交換器１３０〜１３２を備えることにより、エネルギーを有効に利用できるので、低エネルギー・低コストで含水性バイオマスから燃料ガスを生成できるようになる。また、第一熱交換器１３０を備えることにより、ガス化反応器１４１での加熱時間が大幅に短縮されるので、含水性バイオマスから燃料ガスの生成を効率的に行うことができる。従って、少なくとも第一熱交換器１３０を備えた本システムは（第二熱交換器１３１および第三熱交換器１３２を含んだ場合は更に）、経済性に優れているといえる。
【００４２】
気液分離器１７０は、ガス化反応器１４１，第二熱交換器１３１および第三熱交換器１３２を順次介して供給された排出物を、燃料ガス等の生成ガスを含む気体成分と、水または灰分および非金属系触媒が水に懸濁された液体成分とに分離する装置である。この気液分離器１７０としては、セパレーター等の既存の気液分離器を用いることができる。
【００４３】
ガスタンク１７１は、気液分離器１７０によって分離された気体成分（生成ガス）を貯える容器（好ましくは耐圧容器）である。
【００４４】
超臨界圧ボイラ１４０内に配置された過熱器１４２は、給水ポンプ１５０から送られ水冷壁１４３で加熱された蒸気や第２熱交換器で加熱された蒸気の温度を、ガスタンク１７１に貯えられた生成ガス（燃料ガス）の一部あるいは燃料ガス（ＬＰＧ等）の、酸素を含むガス中での燃焼熱を使って、更に上昇させるための熱交換用の配管群である。また、超臨界圧ボイラ１４０は、ガスタンク１７１に貯えられた生成ガス（燃料ガス）の一部あるいは燃料ガス（ＬＰＧ等）の、酸素を含むガス中での燃焼熱を使って加熱された前述の蒸気によって第一熱交換器１３０を加熱することで、含水性バイオマスに非金属系触媒を懸濁したスラリー体を所定の温度（この場合、６００℃）まで予め加熱する装置である。なお、超臨界圧ボイラ１４０の燃料は、ガス燃料に限ることは無く、石炭や木質バイオマスなどの固体燃料や重油や軽油などの液体燃料でも良い。
【００４５】
供給ポンプ１２０は、調整タンク１００で調製したスラリー体または破砕機１１０でバイオマスを破砕したスラリー体を第一熱交換器１３０に供給する装置である。スラリー体は、第一熱交換器１３０（二重管の内管内の流路）を介してガス化反応器１４１に供給される。供給ポンプ１２０は、例えば、高圧ピストンポンプやダイアフラムポンプなどを用いることができる。
【００４６】
蒸気タービン１６０は、例えば、不図示の火力発電所におけるボイラ内に配設され、本システム（具体的には、超臨界圧ボイラ１４０内の過熱器１４２）と伝熱管を介して接続されている。そして、超臨界圧ボイラ１４０から排出される前記蒸気の熱、ガス化反応器１４１で前記スラリー体を燃焼することにより生じた熱、または第一熱交換器１３０および第二熱交換器１３１を順次介して過熱器１４２から供給される前記蒸気の熱などを利用して伝熱管内に蒸気を発生させることで、蒸気タービン１６０を回転させ、この蒸気タービン１６０と同軸に接続される不図示の発電機が稼動することで発電する。蒸気タービン１６０を回転させた後の蒸気は、復水器１６１により復水にされ、第三熱交換器１３２を通り、再び復水器１６１内へ導かれる。
【００４７】
なお、本実施形態では図示省略しているが、本システムに、ガスタンク１７１に貯えられた生成ガス（燃料ガス）を燃料として利用することで発電する発電装置を備えるようにしてもよい。この場合、発電装置は、例えば、ガスエンジン（レシプロエンジン、ロータリーエンジン）、蒸気タービン、スターリングエンジン、燃料電池などの既存の装置を広く適用できる。
【００４８】
また、本システムに予め含水性バイオマスを熱水処理する前処理装置を備えることにより、バイオマスを高分子から低分子に分解することができるので、ガス化反応器１４１において処理されるバイオマスと水や非金属系触媒との接触効率を高め、チャーやタールの発生の更なる抑制が可能となると共に、バイオマスから燃料ガスを効率よく生成することが可能になる。
【００４９】
さらに、本システムに、第二，第三熱交換器１３１，１３２、気液分離器１７０などを備えることにより、ガス化反応器１４１から排出される排出物から燃料ガスを含む生成ガスを安全に回収することができるようになる。
【００５０】
また、本システムに、バイオマスを破砕する破砕機１１０を備えることにより、バイオマスを予め破砕することができるので、バイオマスのスラリー化やガス化の効率を高めることができるようになる。
【００５１】
さらに、本システムにより得られた燃料ガスを用いて、ガスエンジンによる発電を行うことにより、電力と排熱を得ることができるので、石炭、石油等の化石燃料の省資源化を図ることが可能になる。
【００５２】
さらに、本システムにおける第一熱交換器１３０とガス化反応器１４１との間に加熱器（不図示）を設け、第一熱交換器１３０からガス化反応器１４１へと移送されるスラリー体を加熱（予熱）することで、当該スラリー体の温度低下や昇温不足などにより６００℃に満たない状態を未然に回避し、ガス化反応器１４１に対してスラリー体を確実に６００℃の状態で移送するようにしても良い。
【００５３】
以上、説明したように、本システムは、含水性バイオマスを含むスラリー体を懸濁させたスラリー体を超臨界水でガス化処理するガス化反応器１４１と、ガス化反応器１４１で超臨界水によりガス化処理される前に前記スラリー体を予熱する第一熱交換器１３０と、を備えており、超臨界水ガス化系統圧力以上の圧力の蒸気を排出する加熱部として超臨界圧ボイラ１４０を設け、第一熱交換器１３０は、超臨界圧ボイラ１４０から排出される前記蒸気を利用して前記スラリー体を予熱することにより、第一熱交換器１３０を従来に比してコンパクト化することができると共に、タールやチャーの生成を抑制して、第一熱交換器１３０の配管が閉塞されることを回避でき、含水性バイオマスからメタンや水素などの燃料ガスをより効率的に生成することができる。
【００５４】
なお、加熱部としては、前述の蒸気を排出する超臨界圧ボイラ１４０を備え、超臨界圧ボイラ１４０は、ガス化反応器１４１を含んで構成され、当該超臨界圧ボイラ１４０の燃焼を利用してガス化反応器１４１を加熱することとしてもよい。この場合、ガス化反応器１４１を加熱する加熱手段を別体で設ける必要がなく、システム全体として構成の簡略化を図ることができる。
【００５５】
また、加熱部としては、例えば、図１との対応部分に同一符号を付した図２に示すように、前述の蒸気を排出する超臨界圧ボイラ１８０を備えており、当該超臨界圧ボイラ１８０から排出される前述の蒸気の熱を利用して、加熱部（すなわち、超臨界圧ボイラ１８０）とは別体で設けられたガス化反応器１４１を加熱することとしてもよい。このとき、ガス化反応器１４１には、超臨界圧ボイラ１８０から蒸気を供給されるコイル状の加熱用配管などが、当該ガス化反応器１４１の外部（外周面）または内部（内周面）に配設されることが好ましい。この場合、超臨界圧ボイラ１８０から排出される超臨界水ガス化系統圧力以上の圧力の蒸気を熱源として有効利用できるので、ガス化反応器１４１を効率よく加熱することが可能となる。
【００５６】
さらに、加熱部としては、例えば、図１との対応部分に同一符号を付した図３に示すように、前述の蒸気を排出する超臨界圧ボイラ１８０と、ガス化反応器１４１を加熱する反応器用バーナ１４４と、を備えていることとしてもよい。この場合、ガス化反応器１４１を加熱する反応器用バーナ１４４を備えることから、超臨界圧ボイラ１８０によって排出される超臨界水ガス化系統圧力以上の圧力の蒸気を第一熱交換器１３０における予熱にのみで利用するので、蒸気の使用量を減らすことができる。
【００５７】
しかも、超臨界圧ボイラ１４０，１８０は、前述のガス化処理によって生成された生成物から抽出される生成ガスを燃料として使用することとしてもよい。この場合、ガス化処理によって生成された生成ガスを有効利用できるため、省エネルギー化を図ることができる。なお、ここでは便宜上、図示を省略するが、図２及び図３に示す超臨界圧ボイラ１８０は、超臨界圧ボイラ１４０と同様に過熱器・水冷壁・バーナを備えて構成されている。
【００５８】
さらに、本システムは、第一熱交換器１３０にてスラリー体を予熱した後の前述の蒸気を第二熱交換器１３１に供給して利用することで、ガス化処理によって生成された生成物を冷却することとしてもよい。
【００５９】
なお、第一熱交換器１３０での予熱処理は、ガス化反応器１４１での水熱処理を考慮して、６００℃の温度、および２５ＭＰａの圧力の条件下で行うことが好ましい。
【００６０】
＝＝超臨界水によるバイオマスガス化方法＝＝
次に、本実施の一形態として、バイオマスとバイオマスに含まれる水との供給量を調節しながら、バイオマスを超臨界水でガス化する方法について説明する。
【００６１】
まず、調整タンク１００でバイオマスと非金属系触媒と水を混合した混合物を調製する（調整工程）。非金属系触媒とバイオマス（乾燥状態のバイオマス）との質量比としては、１：５〜２０：１の範囲内であることが好ましく、バイオマスのガス化効率が高い１：２〜２０：１の範囲内であることが特に好ましい。また、混合する水の量は、バイオマスの含水率が７０〜９５ｗｔ％となるように調整することが好ましい。これにより、バイオマスの超臨界水によるガス化効率を高めることができる。
【００６２】
前述のように、バイオマスに混合させる非金属系触媒と水の量を調整して、これらを混合した混合物や混合前のバイオマスは破砕機１１０で破砕された後（破砕工程）、供給ポンプ１２０により第一熱交換器１３０に移送される。第一熱交換器１３０に供給された非金属系触媒を含むバイオマスのスラリー体は、第一熱交換器１３０で超臨界圧ボイラ１４０から供給される前述の蒸気から熱が提供され、所定の温度（６００℃）まで予熱された後、ガス化反応器１４１に移送される（予熱工程）。なお、第一熱交換器１３０とガス化反応器１４１との間に加熱器（不図示）を設け、第一熱交換器１３０から移送されるスラリー体をより確実に６００℃まで加熱（予熱）するようにしても良い。
【００６３】
ガス化反応器１４１に供給されたバイオマスのスラリー体は、所定の圧力および所定の温度の条件下で水熱処理される（反応工程）。水熱処理の条件としては、３７４℃以上の温度で、かつ、２２．１ＭＰａ以上の圧力下であれば特に制限されるものではないが、タールやチャーの発生を抑制するとともに反応効率を高めることができる温度（６００℃）および圧力（２５〜３５ＭＰａの範囲内）下で行うことが好ましく、機器の負担や劣化防止、さらには省エネルギーの観点から、６００℃，２５ＭＰａで行うことが特に好ましい。なお、バイオマスから変換された燃料ガス中の成分の比を制御したい場合には、これらの温度および圧力の条件を調節するとともに、流体密度や反応時間（ガス化反応器１４１内でのバイオマスの滞留時間）を制御することにより可能となる。
【００６４】
このようにバイオマスのスラリー体を超臨界水で反応させることにより、バイオマスのスラリー体から燃焼ガスを生成することが可能になる。また、バイオマスを予め高分子から低分子化させることにより、水や非金属系触媒との接触効率を高めることができ、さらには、バイオマスのガス化反応時間を短縮させることができるので、バイオマスのスラリー体から水素ガス、メタン、エタン、エチレン等の燃料ガスをより効率的に生成することができるようになる。
【００６５】
ガス化反応器１４１内でバイオマスのスラリー体を水熱処理することにより生成された生成ガスなどは、ガス化反応器１４１から排出される。この排出物は、第二熱交換器１３１において、第一熱交換器１３０から供給される前述の蒸気に熱を提供することで冷却され、第三熱交換器１３２において更に冷却された後、減圧装置１３３で減圧され、気液分離器１７０へと移送される。気液分離器１７０に供給された排出物は、燃料ガスを含む生成ガス（気体成分）と、水、あるいは、水、灰分、非金属系触媒等を含む混合液（液体成分）とに分離され、生成ガスはガスタンク１７１に貯えられる。なお、気液分離器１７０によって分離された混合液に、水以外の灰分や非金属系触媒などが含まれている場合には、混合液を触媒回収器１７２によって灰分、非金属系触媒、および、水にそれぞれ分離し、非金属系触媒を回収してもよい。これにより、非金属系触媒を再利用することができるようになる。
【００６６】
ガスタンク１７１に貯えられた生成ガス（燃料ガス）は、超臨界圧ボイラ１４０や過熱器１４２に供給される。超臨界圧ボイラ１４０，過熱器１４２は、供給された生成ガスを燃料として、例えば、酸素を含むガス中で燃焼して、給水ポンプ１５０からの水や、ガス化反応器１４１を加熱する。このとき、超臨界圧ボイラ１４０にて発生した超臨界水ガス化系統圧力以上の圧力の蒸気は、第一熱交換器１３０に供給されることで、含水性バイオマスのスラリー体を所定温度（６００℃）まで予熱する。
【００６７】
また、ボイラ内に設置されたバーナにより生成ガスを燃料として、例えば、酸素を含むガス中で燃焼することによって得られた排ガスは、ガス化反応器１４１に供給されてスラリー体に熱を提供する。ガス化反応器１４１に熱を提供した排ガス、および、ボイラ内に設置されたバーナにより生成ガスを燃料として、例えば、酸素を含むガス中で燃焼することによって得られた排ガスは、超臨界圧ボイラ１４０から排出される。
【００６８】
一方、第一熱交換器１３０において前述のスラリー体を予熱した後、第二熱交換器１３１に供給された蒸気は、ガス化反応器１４１にて生成された生成物から熱を吸収することで、当該生成物を冷却させた後、過熱器１４２を介して蒸気タービン１６０に供給され、当該蒸気タービン１６０を起動させる。
【００６９】
なお、本実施形態において用いられる非金属系触媒としては、例えば、活性炭、ゼオライト、これらの混合物などを挙げることができる。このように、アルカリ触媒ではなく、非金属系触媒を用いることにより、アルカリ触媒が引き起こす機器や配管等の腐食による劣化を防止することができ、本システムの長期使用が実現可能となる。また、アルカリ触媒を中和する処理工程も不要となり、作業性の効率を高めることができるようになる。上記非金属系触媒としては、平均粒径２００μｍ以下の粉末を用いることが好ましく、多孔質であることがより好ましい。このような非金属系触媒を用いることにより、表面積を増やして反応効率を高めるとともに、非金属系触媒による本システム内の機器、配管等の目詰まりを防止することができる。
【００７０】
また、本実施形態において処理されるバイオマスが砂等の異物を含む排水汚泥や糞尿等である場合には、第一熱交換器１３０において予熱処理する前に、公知の分離技術（例えば、ストレイナーを用いた分離法、沈殿層を用いた分離法）によってバイオマスに含まれる砂等の異物を取り除いてもよい。これにより、砂等の異物によって生じるトラブルを防止することができるようになる。
【００７１】
さらに、上述した予熱工程では、第一熱交換器１３０において、超臨界圧ボイラ１４０から供給される超臨界水ガス化系統圧力以上の高圧の蒸気を利用して、上記スラリー体を予熱することにより、第一熱交換器１３０を従来に比して大幅にコンパクト化することができる。また、タールやチャーの生成を抑制して、第一熱交換器１３０の配管が閉塞されることを回避でき、含水性バイオマスからメタンや水素などの燃料ガスをより効率的に生成することができる。
【実施例】
【００７２】
以下に本発明を実施例によって具体的に説明する。なお、これらの実施例は本発明を説明するためのものであって、本発明の範囲を限定するものではない。【００７３】
［実施例１］
水９７．６質量部、鶏糞２質量部、及び粒径２０μｍの活性炭０．４質量部を撹拌混合し、１８０℃，１．１ＭＰａの条件下で熱水処理したバイオマスのスラリー体を、高圧ポンプにより管型反応器に圧入し、６００℃，２５ＭＰａの条件下で、超臨界水による反応を行った。また、対照実験として、活性炭を添加しないで同様に超臨界水によるガス化反応を行った。その結果、活性炭を添加しない場合には、炭素ガス化率が７３％であるのに対し、活性炭を０．４質量部添加した場合には、炭素ガス化率が８８％と上昇することが明らかになった。【００７４】
［実施例２］
次に、水８０質量部、セルロース粉末２０質量部、及び平均粒径１００μｍの活性炭２０質量部を撹拌混合してスラリーを調製した。その後、攪拌機を備えた１６７ｍｌのオートクレーブにスラリー４０ｍｌを注入し、圧力２５ＭＰａで撹拌しながら４００℃まで温度上昇させて１時間保持して超臨界水によるガス化反応を行った。反応後、室温まで冷却し、生成ガスを回収して炭素ガス化率を求めた。また、対照実験として、活性炭を添加せずに同様の処理を行った。その結果、活性炭を添加しない場合には炭素ガス化率が１０％であるのに対し、活性炭を添加した場合には炭素ガス化率が３０％と上昇することが明らかになった。
以上のことから、活性炭等の非金属系触媒の添加によりバイオマスのガス化効率を高めることができることが明らかになった。
【符号の説明】
【００７５】
１００  調整タンク                １１０  破砕機
１２０  供給ポンプ                １３０  第一熱交換器（熱交換器）
１３１  第二熱交換器              １３２  第三熱交換器
１３３  減圧装置                  １４０  超臨界圧ボイラ（加熱部）
１４１  ガス化反応器              １４２  過熱器
１４３  水冷壁                    １４４  反応器用バーナ
１５０  給水ポンプ                １６０  蒸気タービン
１６１  復水器                    １７０  気液分離器
１７１  ガスタンク                １７２  触媒回収器
１８０  超臨界圧ボイラ（加熱部）
【図１】
2016135979.tif 000003
【図２】
2016135979.tif 000004
【図３】
2016135979.tif 000005
【手続補正書】
【提出日】平成28年10月12日(2016.10.12)
【手続補正１】
【補正対象書類名】特許請求の範囲
【補正対象項目名】全文
【補正方法】変更
【補正の内容】
【特許請求の範囲】
【請求項１】
バイオマスを含む原料から生成されたスラリー体を超臨界水でガス化処理するガス化反応器と、前記ガス化反応器で超臨界水によりガス化処理される前に前記スラリー体を予熱する熱交換器と、を備える超臨界水ガス化システムであって、  超臨界水ガス化系統圧力以上の圧力の蒸気を排出する加熱部を設け、  前記熱交換器は、前記加熱部から排出される前記蒸気を利用して前記スラリー体を予熱することを特徴とする超臨界水ガス化システム。
【請求項２】
前記スラリー体を予熱した後の前記蒸気を利用して、前記ガス化反応器によって生成される生成物を冷却する熱交換器を更に備えることを特徴とする請求項１に記載の超臨界水ガス化システム。
【請求項３】
前記加熱部は、前記蒸気を排出する超臨界圧ボイラを備えており、  前記超臨界圧ボイラの燃焼を利用して前記ガス化反応器を加熱することを特徴とする請求項１または２に記載の超臨界水ガス化システム。
【請求項４】
前記加熱部は、前記蒸気を排出する超臨界圧ボイラを備えており、  前記超臨界圧ボイラから排出される前記蒸気の熱を利用して前記ガス化反応器を加熱することを特徴とする請求項１または２に記載の超臨界水ガス化システム。
【請求項５】
前記加熱部は、  前記蒸気を排出する超臨界圧ボイラと、  前記ガス化反応器を加熱する反応器用ボイラと、を備えていることを特徴とする請求項１または２に記載の超臨界水ガス化システム。
【請求項６】
前記超臨界圧ボイラは、  前記ガス化処理によって生成された生成物から抽出される生成ガスを燃料として使用することを特徴とする請求項３〜５のいずれか一項に記載の超臨界水ガス化システム。
【請求項７】
バイオマスを含む原料から生成されたスラリー体を超臨界水でガス化処理する工程と、前記ガス化反応器で超臨界水によりガス化処理される前に前記スラリー体を熱交換器にて予熱する工程と、を備える超臨界水ガス化方法であって、  前記熱交換器は、超臨界水ガス化系統圧力以上の圧力の蒸気を排出する加熱部から排出される前記蒸気を利用して前記スラリー体を予熱することを特徴とする超臨界水ガス化方法。
【請求項８】
前記加熱部は、  前記ガス化処理によって生成された生成物から抽出される生成ガスを燃料として使用することを特徴とする請求項７に記載の超臨界水ガス化方法。
【請求項９】
請求項２に記載の超臨界水ガス化システムを用いることを特徴とする請求項８に記載の超臨界水ガス化方法。
【請求項１０】
請求項３〜５のいずれか一項に記載の超臨界水ガス化システムを用いた超臨界水ガス化方法であって、  前記超臨界圧ボイラは、  前記ガス化処理によって生成された生成物から抽出される生成ガスを燃料として使用することを特徴とする請求項７に記載の超臨界水ガス化方法。
【手続補正２】
【補正対象書類名】明細書
【補正対象項目名】００１２
【補正方法】変更
【補正の内容】
【００１２】  また、本発明に係る超臨界水ガス化システムは、 前記スラリー体を予熱した後の前記蒸気を利用して、前記ガス化反応器によって生成される生成物を冷却する熱交換器を更に備えることとしてもよい。
【手続補正３】
【補正対象書類名】明細書
【補正対象項目名】００１８
【補正方法】変更
【補正の内容】
【００１８】  このとき、前記加熱部は、前記ガス化処理によって生成された生成物から抽出される生成ガスを燃料として使用することとしてもよく、前記加熱部は、前記蒸気を排出する超臨界圧ボイラを備えており、前記超臨界圧ボイラの燃焼を利用して前記ガス化反応器を加熱することとしてもよい。また、前記加熱部は、前記蒸気を排出する超臨界圧ボイラを備えており、前記超臨界圧ボイラから排出される前記蒸気の熱を利用して前記ガス化反応器を加熱することとしてもよい。さらに、前記加熱部は、前記蒸気を排出する超臨界圧ボイラと、前記ガス化反応器を加熱する反応器用ボイラと、を備えていることとしてもよい。また、前記超臨界圧ボイラは、前記ガス化処理によって生成された生成物から抽出される生成ガスを燃料として使用することとしてもよい。
【国際調査報告】
2016135979.tif 000006
2016135979.tif 000007